(57)【要約】【課題】  二人以下の少人数により安全で容易に、また重量物の設置環境に左右されることなく、重量物の取替作業が行える狭所用重量物吊り換え工具を提供すること。【解決手段】  重量物の荷重に耐える強度を有し、先端部に滑車とフック取付機構を持つレール、台車、重量物を吊る市販チェーンブロック、重量物を台車に吊った状態でも移動を確実かつ自在に行える動作部、操作部、本装置を構造物支持材等の部材に取付けるための複数の支持部から成り、市販チェーンブロックのチェーンは、レールに沿って滑車、台車を介し、市販チェーンブロック下部フックと重量物を接続する。キュービクル等狭所の内部構造物支持材に吊支されている重量物の荷重を本装置に移すことで、搬出扉から重量物を引出し、床面に降ろすものであり、安全かつ省力的に計器用変成器等の重量物の吊り換え作業を行うことができる事を特徴とする狭所用重量物吊り換え工具を確保する。【選択図】        図１
2005343652.tif 000002
【特許請求の範囲】
【請求項１】
吊り換える重量物を支えている構造物の支持部分に簡易に取付け可能な支持部を有し、重量物を支える堅牢なレール部と、重量物の移動を確実かつ自在に行える動作部とその操作部から成り、狭所での吊り下げ式の重量物の吊り換え作業が安全かつ省力的に出来ることを特徴とした狭所用重量物吊り換え工具。
【請求項２】
吊り換える重量物を請求項１に記載のレール部を吊り下げたままでレールに沿って前進・後退の移動を可能とし、また、その重量に耐えられる強度と構造を持つ台車を有する吊り換え工具。
【請求項３】
請求項２に記載の台車に前進・後退途中においてもレール上の任意の位置へ固定させるためのストッパー機構と、前進・後退から垂直上下方向への重量物の移動を切り換える切換装置を取付けた狭所用重量物吊り換え工具。
【請求項４】
請求項１に記載の支持部に、スペーサーを使用することで形状の異なる構造物支持材等に容易に取り付けることを可能とし、また、前後の支持部の長さを変えて勾配をつけることができることを特徴とした狭所用重量物吊り換え工具。
【請求項５】
分解、組立が容易で、収納、持ち運びが可能な装置であり、また、さまざまな場所にある吊り下げ式の重量物の取り換えが行えることを特徴とする狭所用重量物吊り換え工具。
【請求項６】
請求項1に記載の動作部と操作部に市販チェーンブロックを用い、さまざまな場所で吊り下げて設置されている重量物の取り換えが狭所でも確実にかつ安全に行えることを特徴とする狭所用重量物吊り換え工具。
【発明の詳細な説明】
【技術分野】
【０００１】
本発明は、少なくとも二人で安全かつ容易に、狭所に取付た重量物の取り換え作業を行うことが出来る狭所用重量物吊り換え工具に関するものである。
【背景技術】
【０００２】
従来技術の狭所用重量物吊り換え工具は、建設業における電気設備を例に取ると特許第３４６５１６６号[Ｈ１５．８．２９]計器用変成器簡易取替装置が考案されている。その使用方法は、計器用変成器が吊り下げられている懸垂台を挟み込むように二本のレールを懸垂台側面に取付、計器用変成器をコロの付いた可動装置へ吊り換え、レール上を移動させて開口部からキュービクル外部に引き出して取り換えるものである。キュービクルは、各製造業者により多種多様なものが製作され、計器用変成器の収納状態も様々であり、二本のレールが懸垂台に取り付け不可能な場合や、可動装置がキュービクル本体と干渉してしまう場合などの障害があるため、全ての状況で使用できるものはない。以上から、収納状態に関係なく計器用変成器を容易に引き出して取り換え作業の出来る狭所での重量物吊り換え工具はない。
【特許文献１】特許第３４６５１６６号
【発明の開示】
【発明が解決しようとする課題】
【０００３】
建設分野においては、作業の簡易化と安全性の向上が必要とされる。狭所での吊り下げ式重量物の取り換え作業を考えると、代表的な小型軽量な工具として、油圧ジャッキ、チェーンブロック、ウィンチなどがある。これらの工具を利用することが出来れば、重量物の吊り換え作業は少人数で容易に、しかも安全に行うことが可能である。
【０００４】
ただし、これらの装置が機能を発揮するためには、重量物の周辺に重量を支える支点が必要となる。例えば、重量物を保護するため外装材で囲われた内部などで重量物の直下に軟弱な機材が存在する状況では、油圧ジャッキは使用できない。重量物の直上に支点となる構造物または支持材が無い場合、チェーンブロックやウィンチなどは使用できない。このような状況では、重量物の取り換えを人力で行っている場合が多い。
【０００５】
装置に関する要件として、上下移動が基本的な使用方法であり、作業場所に制約があっても上下移動と水平方向の移動は同時に行えないという要求がある。例えば油圧ジャッキは積荷の上昇中に本体を水平方向に移動させた場合、転倒してしまう恐れがある。また、チェーンブロックやウィンチなどは、重量物の重心と支点からの水平距離が大きくなると落下してしまう恐れがある。どちらの装置を利用しても、災害の可能性が大きい危険な作業となる。
【０００６】
その他として、多人数による重量物運搬作業は、一人では扱えない重量物を複数の作業員が意思疎通を図りながら作業を行うため、不慮の障害に対して急な対応が出来ない場合があり、危険作業となり易い。多人数で作業を行うため、費用も高額となる。
【０００７】
建設業における電気設備を例に取ると、前述の重量物に該当する計器用変成器等が収納されているキュービクルの内部は狭所となる。キュービクルは各製造業者により多種多様なものが製作されており、計器用変成器等の収納状態も様々であり、その内部には配線材料が敷設されているため、チェーンブロックやウインチといった工具の使用は難しい。特に、計器用変成器の吊り下げ位置が引き出し用の開口部より上方の場合、従来装置では取り換えるどころか引き出すことも容易ではない。また、一回の取替作業においては、計器用変成器を水平移動させる作業が多く、省力性、安全性に欠けるという問題があった。
【課題を解決するための手段】
【０００８】
上記の問題を解決するために、本発明の狭所用重量物吊り換え工具は、重量に耐えうる強度を有し、先端部に滑車とフック取り付け機構を備え付けたレール、レール上を移動する台車、重量物を吊るための市販チェーンブロック、重量物を台車に吊った状態でも移動を確実、かつ自在に行える動作部、操作部、及び本装置を構造物支持材等の強固な部材に取付け支持するための複数の支持部から成り、市販チェーンブロックのチェーンは、レールに沿って滑車、台車を介して市販チェーンブロック下部フックと重量物を接続する。キュービクル等狭所の内部の構造物に固定してある構造物支持材に吊支持されている重量物の吊りボルトのナットを外し、荷重を本装置に移すことで固定したレールに沿ってキュービクル等狭所の外装材に取り付けられた搬出扉から重量物を引出し、床面に降ろすものであり、安全かつ省力的に重量物の取替作業を行うことができる。取付けについては逆工程となる。
本装置を強固な部材に取付け支持するための支持部の形状は、構造物支持部の形状に合わせることで対応することができる。
また、前後の支持部の長さを変えてレールに勾配をとることで市販チェーンブロックのチェーンを緩めれば外装材を回避し搬出扉から人力を使用しなくとも引き出すことができる。
【発明の効果】
【０００９】
本発明に係る狭所用重量物吊り換え工具は、狭所での重量物の取り換え作業において重量物周囲の環境に左右されず装置を使用することができ、容易にかつ安全に作業を行うことができる。
【００１０】
本発明に係る狭所用重量物吊り換え工具は、狭所での重量物の取り換え作業において少人数で作業ができ、作業にかかる必要なコストを削減できる効果を有する。
【００１１】
本発明の狭所用重量物吊り換え工具は、チェーンブロック等の昇降装置により、前進、後退、上下方向の移動が安全に行えることを特徴とする。
【００１２】
本発明の狭所用重量物吊り換え工具は、取り換え作業において重量物の吊り換え工程が少ないため、危険性が小さく、また作業効率が向上できることを特徴とする。
【００１３】
本発明の狭所用重量物吊り換え工具は、スペーサーなどの補助具により、形状の異なる構造物支持材等の支持部材に取り付ける事もできる。
【００１４】
本発明の狭所用重量物吊り換え工具は、支持部材に合わせて固定金物の形状を変えることで構造物支持材等に取り付ける事もできる。
【００１５】
本発明の狭所用重量物吊り換え工具は、分解・組立が可能で収納・運搬が容易にできる事を特徴とする。
【発明を実施するための最良の形態】
【００１６】
本発明の狭所用重量物吊り換え工具は、重量物を支える支持材に支点を取るための取付部を有するレールを持ち、重量物の移動を確実かつ自在に行える動作部、操作部を有することにより、重量物周囲の状況に関らず少人数で容易にかつ安全に作業を行うことが可能である。
【実施例】
【００１７】
建設業における電気設備、キュービクル内の計器用変成器吊り換え作業を例に取り、本発明に係る狭所用重量物吊り換え工具について図面を参照しつつ説明する。
図１から図４は、本発明に係る狭所用重量物吊り換え工具の各部の動きと役割を示した一部欠載概略説明用面図である。
【００１８】
図１は、狭所であるキュービクルの現状であり、取り換え作業前と完了時の状態を示す。
【００１９】
図２は、構造物支持材３から重量物４の取外しを行うため、ナット１４を緩め、狭所用重量物吊り換え工具の支持部１０により構造物支持材３を挟み込むようにして取り付けた状態である。
構造物支持材３が支持部１０より小さい場合には、スペーサーを利用してその隙間を埋めて固定することが可能な構造である。
【００２０】
狭所用重量物吊り換え工具を、支持部１０により固定した後、重量物４をチェーンブロック１１のフックに取り付ける。
市販チェーンブロック１１の動作部、操作部１２によりチェーンを巻き戻すと重量物４の自重は吊りボルト１３から市販チェーンブロック１１に移動する。
【００２１】
重量物４の自重が完全に市販チェーンブロック１１に移動したのを確認して、ナット１４を緩めることにより吊りボルト１３を取り外す。
【００２２】
ストッパー８を倒し、切替装置９を取り付けて（図５参照）、台車７がレール６上を水平移動可能な状態にして、市販チェーンブロック１１の動作部、操作部１２によりチェーンを巻き出す。
【００２３】
市販チェーンブロック１１のチェーンが切替装置９によりフック上部で固定されているために、重量物４はレール６上を内部から外部に向かって移動を始める。
【００２４】
図３は、重量物４の水平移動が完了し、垂直移動へ移る状態である。
【００２５】
重量物４の移動が停止した状態であることを確認し、ストッパー８を起こして台車７を固定させる。
台車７の固定を完了後、切替装置９を取外し重量物４の垂直移動が可能な状態とする。
【００２６】
重量物４の垂直移動が可能な状態であることを確認して、市販チェーンブロック１１を再び巻き出すことにより、台車７の固定位置直下に重量物４が下降する。
【００２７】
図４は、重量物４の垂直移動が完了し、重量物４の取外し工程が完了した状態である。
以上説明した事項の逆工程を行うことにより、取付作業が可能となる。
【００２８】
図５は、台車７がレール６上を水平移動する場合の状態を示したものである。
市販チェーンブロック１１のフック上部に台車７の一部を利用した切替装置９が取り付いており、この状態で市販チェーンブロック１１を巻き出し、巻き戻しすることにより台車７はレール６上を水平移動する。
【００２９】
図６は、市販チェーンブロック１１のフック部分が垂直移動をする場合の状態である。
台車７のストッパー８を起こすことにより、台車車輪１６が固定され台車７はレール６上を移動できない状態となる。
この状態で、切替装置９を取り外すと、市販チェーンブロック１１を巻き出し、巻き戻しすることに伴い、チェーン送り部１７が回転し市販チェーンブロック１１のフック部分が自重で垂直移動を行う。
【００３０】
なお、レール、台車、支持部の材質は、金属類、樹脂類のどちらであってもよいが、強度、耐久性、重量等を考慮して選定する。市販チェーンブロックの使用方法は、手動・自動どちらでもよい。また、ウインチタイプのワイヤー式ものであっても差し支えない。
【図面の簡単な説明】
【００３１】
【図１】狭所内における重量物の設置状態を示す一部欠載概略側面図
【図２】狭所重量物取り換え工具の使用状態の初期段階を示す一部欠載概略側面図
【図３】狭所重量物取り換え工具の使用状態の中間段階を示す一部欠載概略側面図
【図４】狭所重量物取り換え工具の使用状態の最終段階を示す一部欠載概略側面図
【図５】狭所重量物取り換え工具の使用中の重量物横移動状態を示す一部欠載概略拡大側面図
【図６】狭所重量物取り換え工具の使用中の重量物縦移動状態を示す一部欠載概略拡大側面図
【符号の説明】
【００３２】
１  外装
２  構造物
３  構造物支持財
４  重量物
５  搬出扉
６  レール
７  台車
８  ストッパー
９  切替装置
１０  支持部
１１  市販チェ−ンブロック
１２  動作部、操作部
１３  吊りボルト
１４  ナット
１５  床面
１６  台車車輪
１７  チェーン送り部
【図１】
2005343652.tif 000003
【図２】
2005343652.tif 000004
【図３】
2005343652.tif 000005
【図４】
2005343652.tif 000006
【図５】
2005343652.tif 000007
【図６】
2005343652.tif 000008